(57)【要約】【課題】  遮断バーの視認性を高める。【解決手段】  筒状本体（１）に複数個の発光体（２）を備えた遮断バーにおいて、前記筒状本体（１）をその全周にわたって透光可能に形成し、前記発光体（２）の発する光を光拡散手段（５）により拡散して筒状本体（１）を透過させる。発光体（２）から発した光が拡散手段により四方八方に拡散された後筒状本体（１）を透過するため、遮断バーの明るい範囲が広がり、遮断バーの視認性が格段に向上する。【選択図】  図１
2006028770.tif 000002
【特許請求の範囲】
【請求項１】
筒状本体に複数個の発光体を備えた遮断バーにおいて、前記筒状本体をその全周にわたって透光可能に形成し、前記発光体の発する光を光拡散手段により拡散して前記筒状本体を透過させるようにしたことを特徴とする遮断バー。
【請求項２】
請求項１に記載の遮断バーにおいて、前記発光体と前記筒状本体の内面との間に弾性体を介在させ、この弾性体の付勢力により前記発光体を筒状本体内の所望位置に固定したことを特徴とする遮断バー。
【請求項３】
請求項１又は請求項２に記載の遮断バーにおいて、筒状本体の壁を貫通する係止具により前記発光体を筒状本体内の所望位置に固定したことを特徴とする遮断バー。
【発明の詳細な説明】
【技術分野】
【０００１】
本発明は、踏切、駐車場等で使用される遮断機の遮断バーに関する。
【背景技術】
【０００２】
踏切、駐車場等には通路を遮断バーで開閉する遮断機が設置される。この遮断機の遮断バーには、その筒状本体の内部に複数個の発光体を備えたものがある。筒状本体内で発光体を発光させることにより、遮断バーの視認性を高めることができる（例えば、特許文献１参照。）。
【０００３】
【特許文献１】特開平６−４８３００号公報
【発明の開示】
【発明が解決しようとする課題】
【０００４】
従来の遮断バーは、筒状本体の周面上に一本の母線に沿って凹溝を形成し、この凹溝内に発光ダイオード（ＬＥＤ）を設置し、凹溝の開口を透光性カバーで覆った構成とされる。このため、例えば黄昏時に遮断バーを外側から見ると、並設した発光体であるＬＥＤが点灯して略点状に見えるのみであり、発光範囲が狭く視認性が低下するという問題がある。また、ＬＥＤは一方向にだけ光を照射しているので、例えば出入口を共用している駐車場の場合、入口側からは見えるが出口側からは見えにくいという問題がある。
【０００５】
本発明はこのような問題を解消することができる遮断バーを提供することを課題とする。
【課題を解決するための手段】
【０００６】
前記課題を解決するため、請求項１に係る発明は、筒状本体（１）に複数個の発光体（２）を備えた遮断バーにおいて、前記筒状本体（１）をその全周にわたって透光可能に形成し、前記発光体（２）の発する光を光拡散手段（５）により拡散して前記筒状本体（１）を透過させるようにした遮断バーを採用する。
【０００７】
また、請求項２に係る発明は、請求項１に記載の遮断バーにおいて、前記発光体（２）と前記筒状本体（１）の内面との間に弾性体（８）を介在させ、この弾性体（８）の付勢力により前記発光体（２）を筒状本体（１）内の所望位置に固定した遮断バーを採用する。
【０００８】
また、請求項３に係る発明は、請求項１又は請求項２に記載の遮断バーにおいて、筒状本体（１）の壁を貫通する係止具（１０）により前記発光体（２）を筒状本体（１）内の所望位置に固定した遮断バーを採用する。
【発明の効果】
【０００９】
請求項１に係る発明によれば、筒状本体（１）に複数個の発光体（２）を備えた遮断バーにおいて、前記筒状本体（１）をその全周にわたって透光可能に形成し、前記発光体（２）の発する光を光拡散手段（５）により拡散して筒状本体（１）を透過させるようにしたことから、発光体（２）から発した光が光拡散手段（５）に当たって四方八方に拡散された後筒状本体（１）を透過するため、遮断バーの明るい範囲が広がり、遮断バーの視認性が格段に向上する。例えば、遮断バーが白色と赤色に交互に色分けされ、赤色に対応する箇所に発光体（２）が収納される場合は、赤色部分（Ａ）に相当するところが全周にわたって明るくなり、遮断バーの長さ方向に何ヶ所も設けた赤色部分（Ａ）が明るくなるので、遠くから見ても遮断バーの存在が一目でわかる。ことに、駐車場で使用する場合その入口側、出口側に関係なく双方からの視認性が高まり、夜間等に駐車場を出入りする自動車の運転者にとって極めて安全となる。
【００１０】
請求項２に係る発明によれば、請求項１に記載の遮断バーにおいて、前記発光体（２）と前記筒状本体（１）の内面との間に弾性体（８）を介在させ、この弾性体（８）の付勢力により前記発光体（２）を筒状本体（１）内の所望位置に固定したことから、遮断バーの内径が変化する例えばテーパー状の遮断バーであっても発光体（２）を適正に取り付けることができる。また、遮断バー内における発光体（２）の取り付け位置を適宜調整可能である。
【００１１】
請求項３に係る発明によれば、請求項１又は請求項２に記載の遮断バーにおいて、筒状本体（１）の壁を貫通する係止具（１０）により前記発光体（２）を筒状本体（１）内の所望位置に固定したことから、発光体（２）を遮断バーに対して長手方向および周方向にずれないように固定することができる。
【発明を実施するための最良の形態】
【００１２】
以下、図面を参照して発明を実施するための最良の形態について説明する。
【００１３】
＜実施の形態１＞
図１に示すように、遮断バーは、筒状本体１と、筒状本体１内に配置される発光体２とを備える。
【００１４】
筒状本体１は望ましくは細長い円筒形に形成されるが、角筒等他の形状としてもよいし、先に行くに連れて細くなるようにテーパーを付けても良い。筒状本体１はその全周にわたって透光可能に形成される。具体的にはＦＲＰ（fiber reinforced plastics）で光が透過しうるように形成される。ＦＲＰとしては透光性を高めるため望ましくはガラス繊維を使用したＧＦＲＰが用いられる。
【００１５】
筒状本体１は、白色部分Ｂと赤色部分Ａとが交互に現れるように所定の間隔で色分けされている。着色は白色、赤色以外の色とすることもできる。白色部分Ｂと赤色部分Ａの着色は、白色と赤色とを交互に塗り分けた筒状のシュリンクフィルムをＧＦＲＰ製パイプに被せたうえでシュリンクフィルムを収縮させＧＦＲＰ製パイプの表面に密着させることにより行うことができる。図１中符号３はこの着色層を示す。もちろん、筒状本体１の表面に直に塗料を塗って着色することも可能である。
【００１６】
発光体２は、筒状本体１内にその全長にわたって配置することもできるが、図１に示すようにこの実施の形態１では赤色部分Ａに対応した箇所にのみ配置される。発光体２としては、一般的にＬＥＤが用いられるが、ＬＥＤに代え電球を用いることも可能である。
【００１７】
図１に示すように、発光体２は筒状本体１の赤色部分Ａごとに複数個用意され、他の部品、部材と共に照明部Ｓとしてユニット化される。
【００１８】
各照明部Ｓは、図２乃至図４に示すように、複数個の発光体２と、発光体２の基板４と、発光体２の発する光を拡散する光拡散手段５と、基板４を支える支持部材６と、支持部材６と筒状本体１との間に介在する滑り止め材７と、各照明部Ｓを筒状本体１内の所定位置に保持する弾性体８とを具備する。
【００１９】
複数個の発光体２は所望の発光色を有し、筒状本体１の長手方向に沿うように各基板４上に一列で並べられる。もちろん、複数列で並べることも可能である。
【００２０】
発光体２の基板４は回路基板であり、筒状本体１の長手方向に沿うように細長く伸びる。この基板４上に発光体２が列状に固定される。図３に示すように、望ましくは発光体２の基端が基板４の表面と共にシリコンゴム等の樹脂充填材９により覆われ、通電部分への雨水等の付着が防止される。基板４からは給電等のための図示しないリード線が引き出される。
【００２１】
光拡散手段５は発光体２の発する光を周囲に拡散する機能を果たすもので、すべての発光体２の頭部に正対するように配置される。光拡散手段５は、磨りガラスあるいはガラス繊維等でできた光拡散性が高いシートをプラスチック板に貼り付けることにより形成される。発光体２が発する光は光拡散手段５により拡散され、図３に示すように筒状本体１の全周から外部に透過する。光拡散手段５で拡散された光は筒状本体１によっても拡散されて外部に出る。
【００２２】
支持部材６は、基板４及び光拡散手段５を支持するための板材であり、筒状本体１の底面上に筒状本体１の長手方向に伸びるように配置される。基板４及び光拡散手段５は、光拡散手段５及び発光体２が筒状本体１の略軸芯部に配置されるように、この支持部材６上に支柱６ａを介して保持される。支持部材６はアルミニウム等の軽量金属材料で形成することも可能であるが、遮断バーのさらなる軽量化のため望ましくは合成樹脂で形成される。
【００２３】
滑り止め材７は、例えばゴムで形成され、支持部材６が筒状本体１内で長手方向及び周方向にみだりに移動しないように筒状本体１の底面の定位置に拘束する。この滑り止め材７は省略することも可能である。
【００２４】
弾性体８は、図２及び図４に示すように、略倒Ｖ字形に屈曲した板バネで形成される。弾性体８の倒Ｖ字の高さは筒状本体１の内径よりもやや大きく設定される。この弾性体８が支持部材６の長手方向における両端にそれぞれ連結される。この弾性体８が筒状本体１内に挿入されると圧縮され、この圧縮変形による付勢力によって照明部Ｓが筒状本体１内の定位置に固定される。弾性体８は板バネに代えて線バネを用いても良い。また、弾性体８は支持部材６に限らず、支柱６ａ、基板４、光拡散手段５等他の箇所に連結させてもよい。さらに、弾性体８は倒Ｖ字形に限らず、Ｖ字形、Ｓ字形等他の所望の形状に形成することができる。
【００２５】
次に、前記構成の遮断バーの作用について説明する。
【００２６】
遮断バーを組み立てるに際し、図２に示すようにユニット化された照明部Ｓを複数ユニット用意して筒状本体１内に順に挿入する。
【００２７】
各照明部Ｓに連結された弾性体８が筒状本体１内で弾性変形し、各照明部Ｓの押し込みを中止すると弾性体８の変形による付勢力で各照明部Ｓが筒状本体１内に固定される。各照明部Ｓの押し込みを筒状本体１の各赤色部分Ａに対応する箇所で停止することで、各赤色部分Ａに照明部Ｓが配置される。弾性体８は屈曲自在であることから、筒状本体１がテーパーの付いたものであっても照明部Ｓは適正に取り付けられる。
【００２８】
照明部Ｓを筒状本体１内に挿入する際、各照明部Ｓの図示しないリード線を相互にコネクタにより連結する。図示しない電源をＯＮにすることにより、筒状本体１内ですべての発光体２が発光する。
【００２９】
発光体２の発する光は光拡散手段５により拡散され筒状本体１の赤色部分Ａを外方に透過する。これにより、遮断バーの赤色部分Ａが筒状本体１の全周にわたって明るくなり、遮断バーの視認性が向上する。遮断バーの長手方向に何ヶ所も設けられた赤色部分Ａが明るくなるので、遠くから見ても遮断バーの存在が容易に視認される。
【００３０】
この遮断バーが例えば駐車場の遮断機で使用される場合、図３に示すように、駐車場の入口側、出口側に関係なく双方からの視認性が高まる。
【００３１】
遮断バーに車両等が当たって筒状本体１が折損した場合は、筒状本体１を遮断機から外して新しい筒状本体１と交換する。その際、照明部Ｓは壊れたユニットの箇所だけを新しいものと交換し、他の照明部Ｓはそのまま使用することができる。
【００３２】
＜実施の形態２＞
図５に示すように、この実施の形態２の遮断バーでは、筒状本体１の壁を貫通する係止具１０により発光体２等が筒状本体１内の所望位置に固定される。
【００３３】
発光体２は、実施の形態１の場合と同様にして、光拡散手段５及び基板４と共に支持部材１１に連結されるが、支持部材１１は実施の形態１の場合と異なり筒状本体１の湾曲した底面に倣うように湾曲形成される。
【００３４】
係止具１０は、具体的にはすり割り溝等によりバネ片１０ａが先端に形成されたリベットとして構成される。筒状本体１の壁と支持部材１１とには貫通孔１ａ，１１ａが形成され、この貫通孔１ａ，１１ａを係止具１０が先端のバネ片１０ａを窄めた状態で筒状本体１の壁と支持部材１１とを外から内へと貫通する。係止具１０が貫通孔１ａ，１１ａを貫通するとバネ片１０ａが再び拡開し支持部材１１を筒状本体１の内面に拘束する。これにより、発光体２、光拡散手段５等は筒状本体１に対し長手方向および周方向にずれないように固定される。
【００３５】
この係止具１０による発光体２の固定手段は実施の形態１の弾性体８による固定手段と併用してもよい。
【００３６】
＜実施の形態３＞
図６に示すように、この実施の形態３の遮断バーでは、実施の形態１における照明部Ｓを二ユニットずつ背中合わせで重ね合わせた構造の照明部Ｔが用いられる。符号１２は照明部Ｓの支持部材６同士の接合手段である両面粘着テープを示す。
【００３７】
このような照明部Ｔを採用することにより、発光体２及び光拡散手段５が筒状本体１の中心部に浮いた状態で保持されることとなり、筒状本体１の周方向に対する光の均一性が更に向上する。
【００３８】
以上本発明の好ましい実施の形態について説明したが、本発明はこの実施の形態に限定されるものではない。例えば、実施の形態では支持部材は照明部ごとに分断されているが、筒状本体の全長にわたって伸びる一本の棒材で形成してもよい。また、実施の形態では基板と支持部材を別体として設けているが、基板で支持部材を代替し、支持部材を省略することも可能である。
【図面の簡単な説明】
【００３９】
【図１】本発明の実施の形態１に係る遮断バーの部分切欠縦断面図である。
【図２】図１中、照明部の詳細を示す拡大図である。
【図３】図２中、ＩＩＩ−ＩＩＩ線矢視断面図である。
【図４】図２中、ＩＶ−ＩＶ線矢視断面図である。
【図５】本発明の実施の形態２に係る遮断バーの横断面図である。
【図６】本発明の実施の形態３に係る遮断バーの部分切欠縦断面図である。
【符号の説明】
【００４０】
１…筒状本体
２…発光体
５…光拡散手段
８…弾性体
１０…係止具
【図１】
2006028770.tif 000003
【図２】
2006028770.tif 000004
【図３】
2006028770.tif 000005
【図４】
2006028770.tif 000006
【図５】
2006028770.tif 000007
【図６】
2006028770.tif 000008